(57)【要約】      （修正有）【課題】フルオロスコピィ画像に医療機器（用具）又はインプラント（埋植物）を表現・抽出する医用ナビゲーション・システム及びその方法を提供する。【解決手段】画像に描出された関心領域の表面境界を確定するように構成されており、また表面境界に関して用具又は埋植物８５０の位置を決定するように構成されているプロセッサ８７０と、画像及び表現を利用者に対して動的に表示するように構成されている表示器８８０とを含んでいる。プロセッサは、表面境界に関する位置に基づいて用具又は埋植物の表現を生成する。表面境界の内側の用具又は埋植物の部分は、表面境界の外側の用具又は埋植物の部分に比較して一定の透明度を有する表現として描出される。【選択図】図７
2008126063.tif 000002
【特許請求の範囲】
【請求項１】
画像（５００）に関して用具又は埋植物（５１０）を描出する方法（７００）であって、
画像（５００）に描出された関心領域（５５０）について表面境界を確定するステップ（７１０）と、
該表面境界に関して用具又は埋植物（５１０）の位置を決定するステップ（７２０、７３０）と、
前記画像（５００）に前記用具又は埋植物（５１０）の表現を表示するステップ（７４０）と
を備えており、前記表面境界の内側の前記用具又は埋植物（５１０）の部分（５３０）は、前記表面境界の外側の前記用具又は埋植物（５１０）の部分（５２０）に比較して一定の透明度を有する前記表現として描出される、方法（７００）。
【請求項２】
前記表面境界の内側の前記用具又は埋植物（５１０）の前記部分（５３０）は、前記表面境界の内側の距離に基づいて複数の透明度を有する前記表現として描出される、請求項１に記載の方法（７００）。
【請求項３】
前記表現は、二次元画像に前記用具又は埋植物（５１０）の三次元像を描出する、請求項１に記載の方法（７００）
【請求項４】
前記表面境界は、追跡装置（２２、２２２、３７２）を用いて確定される、請求項１に記載の方法（７００）。
【請求項５】
画像（５００）に描出された関心領域（５５０）について表面境界を確定する前記ステップは、前記関心領域（５５０）の表面での１又は複数の点の位置の識別に基づいて、画像（５００）に描出された関心領域（５５０）について表面境界を確定するステップをさらに含んでいる、請求項１に記載の方法（７００）。
【請求項６】
画像（５００）に関して用具又は埋植物（５１０）の表現を表示するユーザ・インタフェイス・システムであって、
前記画像（５００）に描出された関心領域（５５０）について表面境界を確定するように構成されており、また該表面境界に関して前記用具又は埋植物（５１０）の位置を決定するように構成されており、前記表面境界に関する前記位置に基づいて前記用具又は埋植物（５１０）の表現を生成するプロセッサ（１２、３４２、３５２、３６２）であって、前記表面境界の内側の前記用具又は埋植物（５１０）の部分（５３０）は、前記表面境界の外側の前記用具又は埋植物（５１０）の部分（５２０）に比較して一定の透明度を有する前記表現として描出される、プロセッサ（１２、３４２、３５２、３６２）と、
前記画像（５００）及び前記表現を利用者に対して動的に表示するように構成されている表示器（１４、２１４、２１８、３８２）と
を備えたシステム。
【請求項７】
前記表面境界の内側の前記用具又は埋植物（５１０）の前記部分（５３０）は、前記表面境界の内側の距離に基づいて複数の透明度を有する前記表現として描出される、請求項６に記載のシステム。
【請求項８】
前記表現は、二次元画像に前記用具又は埋植物（５１０）の三次元像を描出する、請求項６に記載のシステム。
【請求項９】
前記表面境界は、追跡装置（２２、２２２、３７２）を用いて確定される、請求項６に記載のシステム。
【請求項１０】
前記表面境界は、前記関心領域（５５０）の表面の１又は複数の点の位置の識別に基づいて確定される、請求項６に記載のシステム。
【発明の詳細な説明】
【技術分野】
【０００１】
本発明は一般的には、画像誘導手術（又は手術ナビゲーション）に関する。具体的には、本発明は、フルオロスコピィ画像投影への用具及び／又は埋植物の統合を備えた医用ナビゲーション・システムに関する。
【背景技術】
【０００２】
内科医、外科医及び他の医学専門家のような医師はしばしば、画像誘導による手術又は検査のような医学的処置を実行するときに科学技術に頼る。追跡システムが、例えば患者又は参照座標系に関する医療器具の配置情報を提供し得る。医師は、医療器具が自分の視線の範囲内に存在しないときの器具の位置を確かめるために、追跡システムを参照することができる。追跡システムはまた、術前計画においても助けとなり得る。
【０００３】
追跡システム又はナビゲーション・システムは、医師が患者の解剖学的構造を視覚化して、器具の位置及び配向を追跡することを可能にする。医師は、追跡システムを用いて、器具が所望の位置に配置されたときを決定することができる。医師は、所望の部位又は損傷部位の位置を突き止めて、他の構造を回避しつつかかる部位に手術を施すことができる。患者の体内で医療器具の位置を突き止める精度が高まると、患者に対する影響の少ないさらに小型の器具に対する改善された制御を促進することにより侵襲性の低い医学的処置を提供することができる。また、さらに小型で精密な器具によって制御及び正確さが改善されると、切開手術のような侵襲性の高い処置に伴う危険性を低減することができる。
【０００４】
このように、医用ナビゲーション・システムは、患者の解剖学的構造の多次元画像に関して手術器具の正確な位置を追跡する。加えて、医用ナビゲーション・システムは、これらの手術器具を患者の解剖学的構造と位置揃えした像を外科医に提供する視覚化ツールを用いている。この作用は典型的には、手術室全体に移動され得る車輪付きカート（１又は複数）に医用ナビゲーション・システムの構成要素を含めることにより提供される。
【０００５】
追跡システムは、例えば超音波式、慣性位置式又は電磁式の追跡システムであってよい。電磁式追跡システムは、受信器及び送信器としてコイルを用いることができる。電磁式追跡システムは、業界標準コイル・アーキテクチャ（ＩＳＣＡ）構成のような３個の送信器コイルの組及び３個の受信器コイルの組として構成され得る。電磁式追跡システムはまた、例えば受信器コイルのアレイを単一の送信器コイルと併用したもの、又は単一の受信器コイルを送信器コイルのアレイと併用したものによって構成されてもよい。送信器コイル（１又は複数）によって発生される磁場は、受信器コイル（１又は複数）によって検出され得る。得られたパラメータ測定値について、位置及び配向情報を送信器コイル（１又は複数）及び／又は受信器コイル（１又は複数）について決定することができる。
【０００６】
術中撮像又は周術期撮像のような医用撮像及び手術撮像では、患者の身体の領域についての画像が形成される。画像を用いて、手術用具又は手術器具を患者に適用して手術用具又は手術器具を画像から形成される参照座標系に関して追跡している状態で、進行中の処置を支援する。画像誘導手術は、脳外科手術のような外科的処置、膝、手首、肩又は脊椎に対する関節鏡下の処置、並びに幾つかの形式の血管造影法、心臓処置、侵襲型放射線治療及び生検において格別に有用であり、これらの処置においては、Ｘ線画像を撮影して、処置に関わる用具又は器具を表示したり、用具又は器具の位置を修正したり、他の場合には用具又は器具の進路を導いたりすることができる。
【０００７】
幾つかの手術部位は、体内に位置し又は直接目視することが困難な組織又は骨に対する長い探針又は他の物品の配置のために、極めて正確な計画及び制御を必要とする。具体的には、脳外科手術の場合には、進入点、探針角度及び探針深さを画定する定位フレームを、一般的には磁気共鳴撮像（ＭＲＩ）画像、陽電子放出断層写真法（ＰＥＴ）画像又は計算機式断層写真法（ＣＴ）走査画像のように正確な組織画像を提供する事前編集された三次元診断画像と併用して、脳内の部位に接触する。脊椎での椎弓根スクリュー（螺子）の配置の場合には、目視及びフルオロスコピィ撮像による案内では骨への挿入経路のプロファイルを中心としたアキシャル像を捕捉し得ない場合があり、かかるシステムがやはり有用とされていた。
【０００８】
既存のＣＴ、ＰＥＴ又はＭＲＩの画像集合と共に用いられる場合に、従来記録される診断画像集合は、精密走査構成又は再構成アルゴリズムの空間的な数学的性質のいずれかによって、三次元（３Ｄ）直線座標系を画定している。しかしながら、入手可能なフルオロスコピィ像、及び表面から目視可能である解剖学的特徴又はフルオロスコピィ画像において可視である解剖学的特徴と、三次元診断画像内の特徴及び用いられている用具の外部座標との相関を求めることが望ましい場合がある。相関の決定はしばしば、埋め込み型基準物を設け、且つ／又は外部から目視可能な若しくは追跡可能な撮像することのできるマーカを付加することにより行なわれる。キーボード、マウス又は他のポインタを用いて、基準物を様々な画像において識別することができる。このように、相異なる画像において座標位置揃え点の共通の組を識別することができる。これら座標位置揃え点の共通の組はまた、適当にプログラムされた既製の光学追跡アセンブリのような外部座標測定装置によって自動的に追跡可能であってもよい。例えばフルオロスコピィ画像、及びＭＲＩ画像又はＣＴ画像の両方に撮像され得るような撮像可能な基準物の代わりに、かかるシステムはまた、大抵の場合に手術用具の単純な光学追跡と共に動作することもでき、外科医が、患者の解剖学的構造に関して外部座標を画定して解剖学的特徴のソフトウェア追跡を開始するために一定数の骨突起又は他の認識可能な解剖学的特徴に触れるか又はポイントする初期化プロトコルを用いることができる。
【０００９】
一般的には、画像誘導手術システムは、外科医の視野に配置されており選択されたＭＲＩ画像及び様々な角度から撮影された幾つかのＸ線像又はフルオロスコピィ像のような数枚のパネルを表示する画像表示器と共に動作する。三次元診断画像は典型的には、直線構成であり１ミリメートル未満以内といった極く小さい許容誤差以内までの正確な空間分解能を有している。対照的に、フルオロスコピィ像は歪んでいる場合がある。フルオロスコピィ像は、円錐形のＸ線ビームが通過した全ての組織の密度が表現されている点で影絵的である。用具ナビゲーション・システムでは、外科医にとって可視である表示は、フルオロスコピィ画像に投影された手術用具、生検器具、椎弓根スクリュー、探針又は他の装置の画像を示すので、外科医は、撮像された患者の解剖学的構造に関する手術器具の配向を視覚化することができる。また、追跡された探針の先端の座標に対応し得る適当なＣＴ又はＭＲＩ再構成画像を表示することもできる。
【００１０】
かかる表示を具現化するために提案されているシステムの中でも多くのシステムが外部座標での手術器具の位置及び配向を綿密に追跡することに頼っている。様々な座標集合は、ロボット式機械的リンク及びエンコーダによって画定されることができ、さらに一般的には、固定式患者支持体、支持体に固定され得るビデオ・カメラのような２以上の受像器、並びに手術器具のガイド又はフレームに取り付けられており患者支持体及びカメラ・フレームに関する用具の位置及び配向を三角測量によって自動的に決定することを可能にする複数の信号伝達要素によって画定されるので、それぞれの座標の間での様々な変換を算出することができる。２台のビデオ・カメラ及び複数の放出器又は他の位置信号伝達要素を用いる三次元追跡システムは市販されて久しく、かかる手術室システムに容易に適応構成される。また、同様のシステムが市販の音響測距システムを用いて外部位置座標を決定することができ、このシステムでは、３以上の音波放出器が作動し、放出器からの音を複数の受信器において検出して、検出アセンブリからの各放出器の相対距離を決定し、このようにして放出器が装着されているフレーム又は支持器の位置及び配向を単純な三角測量によって画定することができる。追跡された基準物が診断画像内に現われているときには、手術室座標と画像座標との間の変換を画定することが可能である。
【００１１】
さらに最近では、３Ｄ診断データ画像集合の精度を利用して、これら３Ｄ画像を術中フルオロスコピィ画像に現われるパターンにマッチングさせることにより手術室画像の精度を高める多くのシステムが提案されている。これらのシステムは、骨のエッジ輪郭を追跡してマッチングすることを用いるもの、１枚の画像をもう１枚の画像に形態学的に変形して座標変換を決定することを用いるもの、又は他の相関法を用いるものであり得る。低品質で非平面的なフルオロスコピィ画像と３Ｄデータ集合の平面との相関を求める手順は多大な時間を要し得る。基準物又は付加マーカを用いる手法では、外科医は長時間を要する初期化プロトコル又は時間が掛かり計算集約的な手順に従って、様々な画像集合の間でマーカを識別して相関させる場合がある。これらの要因の全てが、術中画像誘導システム又はナビゲーション・システムの速度及び有用性に影響を及ぼしてきた。
【００１２】
患者の解剖学的構造又は術中フルオロスコピィ画像と、事前編集された３Ｄ診断画像データ集合との相関もまた、元の撮像の時刻と術中処置の時刻との間での撮像構造、特に軟組織構造の干渉性の移動によって複雑化し得る。このように、二つの画像集合の３以上の座標系と手術室の物理的座標との間の変換は、実効的な相関を与えるために多数の位置揃え点を要し得る。椎弓根スクリューを配置するための脊椎追跡では、追跡アセンブリは、適当な精度を達成するために単一の椎骨について１０以上の点において初期化される場合がある。腫瘍の成長又は状態の進行によって撮像セッションと撮像セッションとの間に組織の寸法又は位置が実際に変化する場合には、さらに複雑な要因が現われ得る。
【００１３】
脊椎に椎弓根スクリューを配置する場合のように、画像誘導追跡の目的が表面の近くの硬質組織又は骨組織に対する手術を画定することにある場合には、位置揃えは代替的には、計算機式モデリング手順を用いることにより、追跡画像への進行中の参照を行なわずに実行されてもよい。このモデリング手順では、用具の先端を幾つかの骨突起の各々に触れさせて、これらの骨突起の各々について初期化して、骨突起の座標及び配置を確定し、この後に、脊椎の仮想的表現を脊椎に取り付けられた追跡要素又はフレームと共に機械的にモデリングしながら、これらの骨突起の位置に関して用具を光学的に初期位置揃えし次いで追跡することにより、脊椎の全体としての運動をモデリングする。かかる手順では、様々なソースからの相異なる画像集合に対する時間の掛かる計算集約的な相関決定が不要であり、点の光学的追跡を代用することにより、患者の解剖学的構造に関する用具の位置を妥当な程度の精度で実効的に決定するのに用いられるＸ線照射を排除し又は照射回数を減らすことができる。
【特許文献１】米国特許第５，８２９，４４４号明細書（１９９８年１１月３日付与、Ferre等）
【発明の開示】
【発明が解決しようとする課題】
【００１４】
しかしながら、前述のアプローチの各々すなわち高品質画像データ集合を歪みの多い影絵的な投影画像と相関させて、追跡データを用いて用具位置を示すアプローチ、又は外部から検出された用具座標を重ね合わせた動的解剖学的モデルに対して点の有限集合を固定するアプローチは、機械計算によって合成画像を形成し、又は既存のデータに基づく診断平面を選択してカレントの用具の位置に関して外科医を誘導するような方法に帰着する。各々の個別の座標検出システム若しくは画像取り扱いシステムをさらに使い易く又は妥当な信頼性を有するようにするために、様々な治具及び専用サブアセンブリが考案されているが、この分野は依然として不必要に複雑である。システムは、多様な画像集合の相関決定、並びに動作、追跡、及び画像空間座標又は特徴の大量の点逐次方式の初期化をしばしば用いるばかりでなく、多様なハードウェア製造者の所有権制限による制約を受け、追跡システムによって課される物理的制限による制約を受け、また多くの異なる画像ソースの他の画像及びシステムの座標に対する縮尺、配向及び関係を決定することに加えてこれら異なるソースを調整接続する複雑なプログラミング・タスクによる制約を受ける。
【００１５】
フルオロスコピィ画像を補正して精度を高める幾つかの提案が行なわれている。このことは複雑な取り組みである、というのは、３Ｄから２Ｄへの投影撮像というフルオロスコープの性質によって各回の撮影で多量の情報の損失が生ずるので、逆変換は劣決定性が高いからである。カメラ及び線源の位置及び配向に起因して各回の撮影と共に発生する撮像パラメータの変化が、問題をさらに複雑にする。この分野は、より剛性でアイソセンタに位置し易いＣアーム構造を提供した製造者によってある程度の取り組みが為されている。このイメージング・システムの付加的な位置的精度から、決定済みの条件下で構成される不動の患者の多数のフルオロスコピィ撮影集合を取得することにより何らかの形式の平面画像再構成を行ない得る見通しが得られる。しかしながら、このことは、計算経費が極めて高いと考えられ、現状の技術の示唆によれば、従来のＣＴ撮像に用いられるよりも幾分コストの低い設備を用いて補正済みフルオロスコピィ画像データ集合を生成することは可能な場合もあるが、術中フルオロスコピィ画像誘導では依然として、ＭＲＩ、ＰＥＴ又はＣＴデータ集合の入手を必要とし、位置又は画像の相関決定を実行することを可能にする追跡システムのためには大量の外科的な入力及び設定に頼っている。
【００１６】
従って、単純で低線量及び低コストのフルオロスコピィ画像を手術誘導に利用し、しかも重要な用具配置について高められた精度を達成することが依然として極めて望ましい。
【００１７】
位置揃えは、患者画像座標系及び電磁式追跡座標系のような二つの座標系の相関を求める工程である。幾つかの方法を用いて撮像応用において座標を位置揃えすることができる。「既知の」又は予め画定されている物体の位置を画像において求める。既知の物体は、追跡システムによって用いられるセンサを含んでいる。一旦、センサの位置が画像において求められると、センサは二つの座標系の位置揃えを可能にする。
【００１８】
１９９８年１１月３日に付与されたFerre等による米国特許第５，８２９，４４４号は、例えばヘッドセットを用いる追跡及び位置揃えの方法について言及している。患者は、走査画像が記録されるときに放射線不透過性マーカを含むヘッドセットを装着する。次いで、予め画定されている参照ユニット構造に基づいて、参照ユニットは走査画像において参照ユニットの各部分の位置を自動的に決定することができ、これにより走査画像に関する参照ユニットの配向を識別することができる。場発生器を参照ユニットと関連付けて、一定の面積に位置特性を表わす場を発生することができる。参照ユニットに関する場発生器の相対位置が決定されると、位置揃えユニットは、適当な写像関数を生成することができる。すると、追跡されている表面を、記憶された画像に関して位置決定することができる。
【００１９】
しかしながら、患者に配置されておりフルオロスコープ・カメラから離隔している参照ユニットを用いる位置揃えでは、参照ユニットとフルオロスコープとの間の距離によって座標位置揃えに不正確さが混入する。加えて、患者に配置される参照ユニットは典型的には小型であり、さもなければ画像走査に干渉し得る。より小型の参照ユニットはより不正確な位置測定値を発生し、従って位置揃えに影響を及ぼし得る。
【００２０】
典型的には、ナビゲーション・システムによって用いられる参照フレームが、手術ナビゲーションの前に解剖学的構造に位置揃えされる。参照フレームの位置揃えは、表示されるフルオロスコピィ画像に関してナビゲートされる用具の精度に影響を与える。
【００２１】
処置中には、脊椎外科医は複雑な３Ｄの解剖学的関係の正確な感覚を維持しなければならない。フルオロスコピィは従来、術中に用いられており、解剖学的構造（例えば椎弓根）の視覚化、及び用具又は埋植物（例えばガイド・ワイヤ又は椎弓根スクリュー）の配置を容易にしている。フルオロスコピィは有用であるが、現状では、複雑な３Ｄ構造の２Ｄ投影のみに限定されている。さらに、フルオロスコピィは横断面に関する軸に沿ってのみ可能であり、前後方向（ＡＰ）像及び内外方向（ＭＬ）像が最も一般的である。この場合には、外科医は、画像内の標認点の解釈及び解剖学的構造の知識に基づいて、上下軸に沿って（すなわちアキシャル像に沿って）外科的配置を認知的に推定する。これらの推定方式は、例えば脊椎に椎弓根スクリューを配置する場合に様々な程度の不正確さを招き得る。
【００２２】
計算機式断層写真法（ＣＴ）撮像は、各々の患者に特有の３Ｄ容積画像を形成する。この画像集合は、実際には任意のビューから再レンダリングすることができ、従来は一連のアキシャル断面として提示されている。この画像集合を一般的には術前に用いて、状態を診断して手術方針を計画する。
【００２３】
画像誘導ナビゲーションは、他の応用の中でも脊椎手術に臨床利用されている。画像誘導応用は典型的には、２Ｄフルオロスコピィ画像又は３ＤＣＴデータ集合を用いる。３Ｄ方式のシステムは、通常は患者の解剖学的構造の手動式ディジタル化（例えば点の選定）によって達成されるデータ集合の患者への明示的な位置揃えを必要とする。２Ｄ方式のシステムは、撮像装置（例えばフルオロスコープ）を患者に関して追跡することにより画像が本質的に位置揃えされるので利用がより単純である。
【００２４】
このように、２Ｄシステムの使い易さ及び実時間更新を、容易に位置揃えされる３ＤＣＴデータ集合と共に組み入れたハイブリッド２Ｄ／３Ｄナビゲーション・システムが極めて望ましい。
【００２５】
ナビゲーション手順の間に、用具をナビゲートし得るフルオロスコピィ画像が撮影される。ＣＴ画像／ＭＲＩ画像（解剖学的構造の薄いスライスである）とは異なり、フルオロスコピィ画像は解剖学的構造の容積を通した投影である。ナビゲートされる用具が描出されるときには、用具は画像の上に「浮いて」いるように見える（用具が構造の内部又は背後にある場合でも）（図１を参照）。浮いている画像は用具位置の正確な表現ではなく、外科医は与えられる表示を常に補正する必要がある。
【００２６】
従って、器具／用具をフルオロスコピィ画像に統合するシステム及び方法が必要とされている。
【課題を解決するための手段】
【００２７】
本発明の幾つかの実施形態は、画像に用具又は埋植物を表現するシステム及び方法を提供する。
【００２８】
幾つかの実施形態は、画像に関して用具又は埋植物を描出する方法を提供する。この方法は、画像に描出された関心領域について表面境界を確定するステップと、表面境界に関して用具又は埋植物の位置を決定するステップと、画像に用具又は埋植物の表現を表示するステップとを含んでいる。表面境界の内側の用具又は埋植物の部分は、表面境界の外側の用具又は埋植物の部分に比較して一定の透明度を有する表現として描出される。
【００２９】
幾つかの実施形態は、画像に関して用具又は埋植物の表現を表示するユーザ・インタフェイス・システムを提供する。このシステムは、画像に描出された関心領域について表面境界を確定するように構成されており、また表面境界に関して用具又は埋植物の位置を決定するように構成されているプロセッサと、画像及び表現を利用者に対して動的に表示するように構成されている表示器とを含んでいる。プロセッサは、表面境界に関する位置に基づいて用具又は埋植物の表現を生成する。表面境界の内側の用具又は埋植物の部分は、表面境界の外側の用具又は埋植物の部分に比較して一定の透明度を有する表現として描出される。
【００３０】
幾つかの実施形態は、コンピュータでの実行のための一組の命令を有するコンピュータ読み取り可能な媒体を提供する。この一組の命令は、追跡情報に基づいて画像に描出される関心領域について表面境界を確定する境界決定ルーチンと、追跡情報に基づいて表面境界に関して用具又は埋植物の表現を生成する埋植物表現ルーチンと、画像に用具又は埋植物の表現を表示する表示ルーチンとを含んでいる。表面境界の内側の用具又は埋植物の部分は、表面境界の外側の用具又は埋植物の部分に比較して一定の透明度を有する表現として描出される。
【発明を実施するための最良の形態】
【００３１】
以上の概要、及び以下の本発明の幾つかの実施形態の詳細な説明は、添付図面と併せて読むとさらに十分に理解されよう。本発明を説明する目的で、幾つかの実施形態が図面に示されている。しかしながら、本発明は、添付図面に示す構成及び手段に限定されないことを理解されたい。
【００３２】
ここで図２を参照すると、参照番号１０によって全体的に示す医用ナビゲーション・システム（例えば手術ナビゲーション・システム）が、可搬型コンピュータ１２、表示器１４、及びナビゲーション・インタフェイス１６を含むものとして図示されている。医用ナビゲーション・システム１０は、電磁場発生器２０及び電磁センサ２２と共に動作して装置２４の位置を決定するように構成されている。システム１０、及び／又は他のナビゲーション若しくは追跡システムは、例えば電磁式、光学式、超音波式、慣性位置式及び／又は他の追跡システムを含む多様な追跡技術と共に用いることができるが、以下ではシステム１０を例示のみの目的で電磁式追跡に関して説明する。
【００３３】
テーブル３０が、電磁センサ２２の近くに配置されて、手術処置中に患者４０を支持する。ケーブル５０が、電磁センサ２２と医用ナビゲーション・システム１０との間のデータ伝送のために設けられている。医用ナビゲーション・システム１０は、図２に示す実施形態では第二の表示器１８と共に可搬型カート６０に装着されている。
【００３４】
電磁センサ２２は、例えばプリント回路基板であってよい。幾つかの実施形態は、複数のコイル及びコイル対を含むプリント回路基板受信器アレイ２６と、プリント回路基板受信器アレイ２６において検出された磁場測定値をディジタル化する電子回路とを含む電磁センサ２２を含み得る。磁場測定値を用いて、任意の適当な方法又はシステムに従って電磁場発生器２０の位置及び配向を算出することができる。磁場測定値が電磁センサ２２の電子回路を用いてディジタル化された後に、ディジタル化された信号はケーブル５０を介してナビゲーション・インタフェイス１６に送信される。後に詳述するように、医用ナビゲーション・システム１０は、受信したディジタル化信号に基づいて装置２４の位置を算出するように構成されている。
【００３５】
本書に記載される医用ナビゲーション・システム１０は、様々な処置時に多くの異なる形式の装置を追跡することが可能である。処置に応じて、装置２４は、手術器具（例えば撮像用カテーテル、診断用カテーテル、治療用カテーテル、ガイドワイヤ、創面切除器、吸引器、ハンドル及びガイド等）、手術埋植物（例えば人工椎間板、骨ねじ、シャント、椎弓根スクリュー、プレート及び脊髄管等）、又は他の何らかの装置であってよい。医用ナビゲーション・システム１０の利用の背景状況に応じて、任意の数の適当な装置を用いることができる。
【００３６】
図３に、医用ナビゲーション・システム１００の例示的なブロック図を掲げる。医用ナビゲーション・システム１００は、モジュールの集合として概念的に示されているが、専用ハードウェア・ボード、ディジタル信号プロセッサ、フィールド・プログラマブル・ゲート・アレイ、及びプロセッサの任意の組み合わせを用いて具現化され得る。代替的には、各モジュールは、単一のプロセッサ又は多数のプロセッサを備えた既製のコンピュータを用いて、プロセッサの間の作用動作を分散させて具現化されていてもよい。一例として、位置及び配向の計算のための専用プロセッサと、視覚化演算のための専用プロセッサとを有することが望ましい場合がある。さらに他の選択肢として、各モジュールは、幾つかのモジュール型作用を専用ハードウェアを用いて実行し、残りのモジュール型作用を既製のコンピュータを用いて実行するハイブリッド構成を用いて具現化されていてもよい。モジュールの動作はシステム制御器２１０によって制御され得る。
【００３７】
ナビゲーション・インタフェイス１６０は、電磁センサ２２２からディジタル化された信号を受け取る。図２に示す実施形態では、ナビゲーション・インタフェイス１６はイーサネット・ポートを含んでいる（「イーサネット」は商標）。このポートには例えば、イーサネット・ネットワーク・インタフェイス・カード又はアダプタが設けられていてよい（「イーサネット」は商標）。しかしながら、様々な代替的実施形態によれば、ディジタル化された信号を代替的な有線又は無線の通信プロトコル及びインタフェイスを用いて電磁センサ２２２からナビゲーション・インタフェイス１６０へ送信することができる。
【００３８】
ナビゲーション・インタフェイス１６０によって受け取られたディジタル化信号は、電磁センサ２２２によって検出された磁場情報を表わしている。図３に示す実施形態では、ナビゲーション・インタフェイス１６０は、ディジタル化された信号をローカル・インタフェイス２１５を介して追跡モジュール２５０に送信する。追跡モジュール２５０は、受け取ったディジタル化された信号に基づいて位置及び配向情報を算出する。この位置及び配向情報は、装置の位置を与える。
【００３９】
追跡モジュール２５０は、位置及び配向情報をローカル・インタフェイス２１５を介してナビゲーション・モジュール２６０に伝達する。一例として、このローカル・インタフェイス２１５は周辺機器コンポーネント・インターコネクト（ＰＣＩ）バスである。しかしながら、様々な代替的実施形態によれば、本発明の範囲を逸脱することなく、同等のバス技術を置換することができる。
【００４０】
位置及び配向情報を受け取ると、ナビゲーション・モジュール２６０を用いて装置の位置を取得された患者データに位置揃えする。図３に示す実施形態では、取得された患者データはディスク２４５に記憶されている。取得された患者データは、計算機式断層写真法データ、磁気共鳴データ、陽電子放出断層写真法データ、超音波データ、Ｘ線データ、又は他の任意の適当なデータ、及びこれらの任意の組み合わせを含み得る。例示のみを目的として述べると、ディスク２４５はハード・ディスク・ドライブであるが、他の適当な記憶装置及び／又はメモリを用いてよい。
【００４１】
取得された患者データは、ディスク２４５からメモリ２２０にロードされる。ナビゲーション・モジュール２６０は取得された患者データをメモリ２２０から読み出す。ナビゲーション・モジュール２６０は、装置の位置を取得された患者データに位置揃えして、患者画像データ及び装置の表現を視覚化するのに適した画像データを生成する。図３に示す実施形態では、画像データはローカル・インタフェイス２１５を介して表示制御器２３０に送信される。表示制御器２３０を用いて画像データを２台の表示器２１４及び２１８に出力する。
【００４２】
図３の実施形態には２台の表示器２１４及び２１８が図示されているが、代替的な実施形態は様々な表示器構成を含み得る。様々な表示器構成を用いて手術室の人間工学を改善し、様々なビューを表示し、又は様々な場所にいる人員に情報を表示することができる。例えば、図２に示すように、第一の表示器１４は医用ナビゲーション・システム１０に含まれていてよく、第一の表示器よりも大型の第二の表示器１８は可搬型カート６０に装着されている。代替的には、表示器２１４及び２１８の１又は複数が手術用ブームに装着されていてもよい。手術用ブームは、天井装着型であってもよいし、手術テーブルに取り付け可能であってもよいし、可搬型カートに装着されてもよい。
【００４３】
ここで図４を参照すると、医用ナビゲーション・システム３００の代替的な実施形態が図示されている。医用ナビゲーション・システム３００は、比較的小さい設置面積（例えば約１０００ｃｍ２）の可搬型コンピュータと、一体型表示器３８２とを含んでいる。様々な代替的実施形態によれば、任意の適当なさらに小さい又は大きい設置面積を用いてよい。
【００４４】
ナビゲーション・インタフェイス３７０は、電磁センサ３７２からディジタル化された信号を受け取る。図４に示す実施形態では、ナビゲーション・インタフェイス３７０は、ディジタル化された信号をローカル・インタフェイス３１５を介して追跡インタフェイス３５０に送信する。追跡モジュール３５６は、追跡インタフェイス３５０に加えて、受け取ったディジタル化信号に基づいて位置及び配向情報を算出するプロセッサ３５２及びメモリ３５４を含んでいる。
【００４５】
追跡インタフェイス３５０は、算出された位置及び配向情報をローカル・インタフェイス３１５を介して視覚化インタフェイス３６０に伝達する。ナビゲーション・モジュール３６６は、視覚化インタフェイス３６０に加えて、ディスク３９２に記憶されている取得された患者データに装置の位置を位置揃えするプロセッサ３６２及びメモリ３６４を含んでおり、患者画像データ及び装置の表現を視覚化するのに適当な画像データを生成する。
【００４６】
視覚化インタフェイス３６０は、画像データをローカル・インタフェイス３１５を介して表示制御器３８０に送信する。表示制御器３８０を用いて画像データを表示器３８２に出力することができる。
【００４７】
医用ナビゲーション・システム３００はまた、スケジューリング、患者データの更新のような追加の計算アプリケーション又は他の適当なアプリケーションに用いられるプロセッサ３４２、システム制御器３４４、及びメモリ３４６を含んでいる。医用ナビゲーション・システム３００の性能は、プロセッサ３４２を一般計算アプリケーションに用い、プロセッサ３５２を位置及び配向の算出に用い、またプロセッサ３６２を視覚化動作専用に用いることにより高められている。図４の実施形態の説明に拘わらず、本発明の範囲を逸脱することなく代替的なシステム・アーキテクチャを置換することもできる。
【００４８】
後にさらに詳細に説明するように、本発明の幾つかの実施形態は、２Ｄフルオロスコピィ画像に加えて、アキシャル像のような３Ｄ計算機式断層写真法（ＣＴ）データ集合についての術中ナビゲーションを提供する。幾つかの実施形態では、ＣＴデータ集合を、標準的な前後方向及び横方向のフルオロスコピィ画像に対する相関決定を介して、術中に患者に対して位置揃えする。処置が進行するにつれて、追加の二次元画像が、ＣＴデータ集合の再位置揃えを必要とせずに取得されてナビゲートされ得る。
【００４９】
幾つかの実施形態は、多数のレベルの処置の配置を可能にするツールを提供する。画面上のテンプレートを用いて埋植物の長さ及び寸法を選択することができる。システムは多数のレベルに配置された埋植物の位置を記憶することができる。利用者は、追加の埋植物の配置時に、記憶されたオーバレイを参照のために呼び出すことができる。加えて、幾つかの実施形態は、ナビゲート式測定を行なうことにより、各構成要素の試行錯誤方式のフィッティングを排除するのに役立つ。幾つかの実施形態では、関連する解剖学的構造及び埋植物の隣りに画面上に注釈が現われる。
【００５０】
幾つかの実施形態では、相関方式位置揃えアルゴリズムを利用して信頼性のある位置揃えを提供する。標準的な前後方向（ＡＰ）及び側面方向（Ｌａｔ）のフルオロスコピィ画像を取得することができる。脊椎のレベルが選択され、画像が位置揃えされる。脊椎のレベルの選択は、例えばナビゲートされている器具を実際の解剖学的構造においてポイントすることにより達成される。
【００５１】
システムの幾つかの実施形態は、脊椎視覚化器具キット、脊椎手術器具キット、頸部用器具キット、ナビゲーション・アクセス針等のような一群の脊椎用器具及びキットと共に作用する。これらの器具は、例えば一定範囲の標準的な椎弓根スクリューの配置を容易にする。スクリューの幾何学的構成のライブラリを用いてこれらのスクリューを表わし、十分に陰影を施したモデルに対するワイヤフレームのオーバレイを容易にする。オーバレイを各々の脊椎のレベルについて記憶して呼び出すことが可能である。
【００５２】
幾つかの実施形態では、呼び出されたオーバレイを、例えば多数のレベルの椎弓根スクリューの間の距離、多数のレベルの椎弓根スクリューの間の曲率、及びレベルの注釈（例えば左Ｌ４椎骨）を含む幾つかの自動測定値と共に表示することができる。これらの測定値は埋植物の長さ及び寸法のより正確な選択を容易にする。これらの測定値はまた、各構成要素の試行錯誤方式のフィッティングを排除する助けとなる。
【００５３】
このように、幾つかの実施形態は、外科医が切開処置又は経皮的処置のいずれの際にも人体のあらゆる場所で解剖学的構造の位置を決定する助けとなる。幾つかの実施形態は、例えば腰椎及び／又は仙椎のレベルで用いることができる。幾つかの実施形態は、医療におけるディジタル撮像及び通信（ＤＩＣＯＭ）への準拠を提供し、ガントリ傾斜及び／又は可変スライス間隔をサポートする。幾つかの実施形態は、自動窓指定、及び記憶されたプロファイルとの中心合わせを提供する。幾つかの実施形態は、相関方式の２Ｄ／３Ｄ位置揃えアルゴリズムを提供して、例えば実時間の多数の平面切除術を可能にする。
【００５４】
幾つかの実施形態は、利用者が、ナビゲートされた配置を記憶させ呼び出すことを可能にする。幾つかの実施形態は、利用者が、多数のレベル椎弓根スクリュー及び／又は他の埋植物／器具の間の距離を測定することを可能にする。幾つかの実施形態は、利用者が、例えば相互接続ロッドの長さ及び曲率を算出することを可能にする。
【００５５】
図５は、本発明の一実施形態によるフルオロスコピィ画像と共に観察される３Ｄ埋植物の一例を図示している。画像５００は、用具／埋植物５１０及び解剖学的構造５５０を含んでいる。用具／埋植物５１０は、例えば解剖学的構造５５０の外側の部分５２０及び解剖学的構造５５０の内側の部分５３０を含んでいる。
【００５６】
患者の皮膚のような境界が何処にあるべきかについて利用者によって与えられる情報を用いて、システムは、用具／埋植物５１０の何れの部分が「目標」解剖学的構造５５０の内側５３０に位置し何れの部分が外側５２０に位置するかを決定することができる。用具／埋植物５１０の境界平面よりも下方に位置する部分５３０は、例えば透明、半透明及び／又は他の場合には様々な程度まで不透明に調節することができる。例えば、図６は、境界表面の下方の距離に基づく様々な陰影付けを示す用具の単純化された表現を図示している。例えば図５に示すように、透明度を設けることにより、用具／埋植物５１０に対し、フルオロスコピィ画像の内側に位置するという錯覚を与えることができる。
【００５７】
幾つかの実施形態では、利用者は、１又は複数の点を「クリック」し、又は他の方法で選択し、強調し、且つ／若しくは特定して、画像内の解剖学的構造５５０又は他の物体の表面又は境界を示す。このように、点及び／又は平面を用いて境界を決定し、この境界よりも上方では用具／埋植物５１０は中実体として画像に描出され、この境界よりも下方では用具／埋植物５１０は半透明の物体として描出される。用具／埋植物５１０は、システムが境界の下方及び上方の用具／埋植物５１０の位置を判定して利用者に配置情報及び透明度情報を提供することを可能にするように、撮像の前にモデル化され得る。利用者は、例えばボタンを押す、及び／又は用具若しくはポインタに圧力を加える、及び／又は用具／埋植物５１０を配置してソフトウェアを介して（例えばキーボード及び／又はマウス入力に基づいて）点を選択すること等により、１又は複数の境界点を選択することができる。
【００５８】
幾つかの実施形態では、不透明度／透明度に、表面境界からの距離に基づいて加重することができる。例えば、椎弓根スクリューのような埋植物５１０が患者の皮膚の下方に次第に伸長するにつれて、スクリューの先端は次第に透明になる。皮膚の下方のスクリューの長さは、画像では変化する透明度で描出されて、患者の体内の深さについての洞察を与える。
【００５９】
図７は、本発明の一実施形態に従って用いられる画像内の埋植物／用具の表現の方法７００の流れ図を示している。ステップ７１０では、利用者は、患者の皮膚のような境界を表わす１又は複数の測定点を指示する。利用者は、例えばボタンを押す、及び／又は用具若しくはポインタに圧力を加える、及び／又は用具／埋植物を配置してソフトウェアを介して（例えばキーボード及び／又はマウス入力に基づいて）点を選択すること等により、１又は複数の点を指示して、境界の存在を示すことができる。
【００６０】
ステップ７２０では、患者のような目標に関して用具／埋植物の位置を測定する。位置は、前述のように様々な追跡／ナビゲーション手法の任意のものに基づいて測定されてよい。ステップ７３０では、境界の位置について利用者によって提供された情報及び用具／埋植物の位置情報を用いて、用具／埋植物の何れの部分が境界の内側に位置し用具／埋植物の何れの部分が境界の外側に位置するかについての決定が為される。境界の下方に位置する用具／埋植物の部分は、例えば患者の区域の表示された画像において何らかの透明度を有して表現され得る。境界の上方に位置する用具／埋植物の部分は、例えば不透明な物体またはアイコンとして表現され得る。透明度を設けると、利用者に対し、境界及び目標の区域に関する用具／埋植物の位置についてさらに十分な理解を与えるのを助けることができる。
【００６１】
ステップ７４０では、患者の解剖学的構造のような目標に関して用具／埋植物を示す画像が利用者に表示される。上述のように、用具／埋植物の部分は、境界の位置によって不透明及び／又は透明である。画像は、用具／埋植物が利用者によって配置されるのに伴って更新され得る。
【００６２】
幾つかの実施形態では、不透明度／透明度に対し、表面境界からの距離に基づいて加重することができる。例えば、用具／埋植物が境界の下方に次第に伸長するにつれて、用具／埋植物の遠位部分（１又は複数）は次第に透明になる。境界の下方での用具／埋植物の長さは、画像では変化する透明度によって描出されて、目標の内部の深さについての洞察を与える。表示されている画像に関する透明度及び位置は、用具／埋植物が利用者によって移動させられるにつれて動的に調節され得る。
【００６３】
このように、幾つかの実施形態は、外科医が３Ｄの用具及び／又は埋植物のより現実的な表現、並びにこれら用具及び／又は埋植物の解剖学的構造における位置を観察することを可能にする。幾つかの実施形態は、３Ｄ追跡された用具（又は埋植物）を投影画像（例えばフルオロスコピィ画像）に統合するシステム及び方法を提供する。幾つかの実施形態は、２Ｄ像（例えばフルオロスコピィ像又はＸ線画像の像）において例えば用具／埋植物が骨の内側に位置することを「視覚的に」表現する能力を提供し、これにより２Ｄ画像に近似的な３Ｄ効果を生成する。幾つかの実施形態は、利用者が用具／埋植物を移動させ、且つ／又は患者に対して異なる／追加の用具及び／又は埋植物を用いるのに伴う動的で適応的な解の更新を提供する。
【００６４】
このように、幾つかの実施形態は、手術ナビゲーション及び測定のワークフロー強化を提供する。加えて、ナビゲートされている椎弓根スクリュー及び／又は他の埋植物は、臨床医による観察のために画像のオーバレイとして図形的にレンダリングされて表現され得る。このオーバレイは、例えばスクリュー及び／又は他の埋植物の位置の視覚化を維持するのに役立つ。
【００６５】
幾つかの実施形態は、２Ｄシステムの実時間更新及び使い易さを、容易に位置揃えされる３ＤＣＴデータ集合と共に組み入れた２Ｄ／３Ｄハイブリッド・ナビゲーション・システムと共に動作する。医学的処置の安全性及び正確さが、２Ｄ／３Ｄナビゲーション・システムによって強化され得る。ＣＴデータ集合を２Ｄ術中撮像と共に用いることにより、手術室での解剖学的構造の視覚化及び理解が向上する。かかるシステムは、脊椎処置、頭蓋処置及び他の臨床処置のような多様な医学的処置に応用され得る。脊椎処置は、後外側切開及び低侵襲手術（ＭＩＳ）による椎弓根スクリュー、後部Ｃ１−Ｃ２関節貫通螺子固定、経口腔歯突起固定、頸部外側塊プレート螺子固定、胸椎前方螺子固定、脊柱側弯、脊柱後弯、亀背形成術、椎体形成術、経椎間孔腰椎椎体間固定（ＴＬＩＦ）、人工椎間板、破裂骨折、傍脊椎腫瘍の切除等を含み得る。
【００６６】
以上、図面を参照して幾つかの実施形態を説明した。これらの図面は、本発明のシステム及び方法及びプログラムを具現化する特定の実施形態の幾つかの詳細を図示している。しかしながら、図面による本発明の記載は、本発明に対し、図面に示す特徴に関連する如何なる制限も加えないものと解釈されるべきである。本発明は、発明の動作を達成する方法、システム、及び任意の機械読み取り可能な媒体上のプログラム・プロダクトを思量している。上述のように、本発明の実施形態は、既存のコンピュータ・プロセッサを用いて、又はこの目的若しくは他の目的のために組み入れられた特殊目的用コンピュータ・プロセッサによって、又は結線システムによって具現化され得る。
【００６７】
上述のように、本発明の範囲内にある実施形態は、機械実行可能な命令又はデータ構造を担持し又は記憶した機械読み取り可能な媒体を含むプログラム・プロダクトを含んでいる。かかる機械読み取り可能な媒体は、汎用若しくは特殊目的用コンピュータ、又はプロセッサを有する他の機械によってアクセスされ得る任意の利用可能な媒体であってよい。例として述べると、かかる機械読み取り可能な媒体は、ＲＡＭ、ＲＯＭ、ＰＲＯＭ、ＥＰＲＯＭ、ＥＥＰＲＯＭ、フラッシュ、ＣＤ−ＲＯＭ若しくは他の光学的ディスク記憶装置、磁気ディスク記憶装置若しくは他の磁気記憶装置、又は所望のプログラム・コードを機械実行可能な命令若しくはデータ構造の形態で担持し若しくは記憶するのに用いることができ、汎用若しくは特殊目的用コンピュータ又はプロセッサを有する他の機械によってアクセスすることのできるその他任意の媒体を含み得る。情報がネットワーク又は他の通信接続（結線、無線、又は結線若しくは無線の組み合わせのいずれか）を介して機械に転送され又は供給されるときに、機械は接続を機械読み取り可能な媒体として適正に見る。このようにして、かかる任意の接続は、機械読み取り可能な媒体と適正に称される。上述の組み合わせもまた機械読み取り可能な媒体の範囲に含まれる。機械実行可能な命令は例えば、汎用コンピュータ、特殊目的用コンピュータ、又は特殊目的用処理機械に、何らかの機能又は機能群を実行させるような命令及びデータを含んでいる。
【００６８】
本発明の実施形態は、一実施形態ではプログラム・コードのような機械実行可能な命令を、例えばネットワーク化された環境で機械によって実行されるプログラム・モジュールの形態で含んでいるプログラム・プロダクトによって具現化され得る方法ステップの一般的な文脈で記載されている。一般的には、プログラム・モジュールは、特定のタスクを実行し又は特定の抽象的なデータ型を具現化するルーチン、プログラム、オブジェクト、コンポーネント及びデータ構造等を含んでいる。機械実行可能な命令、関連するデータ構造、及びプログラム・モジュールは、本書に開示された方法のステップを実行するプログラム・コードの例を表わしている。かかる実行可能な命令の特定の系列又は関連するデータ構造は、かかるステップに記載された機能を具現化する対応する動作の例を表わしている。
【００６９】
本発明の実施形態は、プロセッサを有する１又は複数のリモート・コンピュータへの論理的接続を用いてネットワーク化された環境で実施することができる。論理的接続は、本書において限定ではなく例示のために提示されている閉域網（ＬＡＮ）及び広域網（ＷＡＮ）を含み得る。かかるネットワーク環境は、オフィス内又は企業内コンピュータ網、構内網及びインターネットとして普及しており、広範な異なる通信プロトコルを用いる場合がある。当業者は、かかるネットワーク計算機環境が典型的には、パーソナル・コンピュータ、携帯端末、マルチプロセッサ・システム、マイクロプロセッサ方式又はプログラム可能型の消費者向け電子機器、ネットワークＰＣ、ミニコンピュータ、及びメインフレーム・コンピュータ等を含めて、多くの形式のコンピュータ・システム構成を包含することを認められよう。本発明の実施形態はまた、通信網を介してリンクされる（結線リンク、無線リンク、又は結線リンク若しくは無線リンクの組み合わせのいずれかによる）ローカル及びリモートの処理装置によってタスクが実行される分散型計算機環境で実施されてもよい。分散型計算機環境では、プログラム・モジュールはローカル及びリモートの両方のメモリ記憶装置に位置していてよい。
【００７０】
本発明のシステム全体又は部分を具現化する例示的なシステムは、処理ユニット、システム・メモリ、及びシステム・メモリを含む様々なシステム構成要素を処理ユニットに結合するシステム・バスを含むコンピュータの形態にある汎用計算機装置を含み得る。システム・メモリは読み出し専用メモリ（ＲＯＭ）及びランダム・アクセス・メモリ（ＲＡＭ）を含み得る。コンピュータはまた、磁気ハード・ディスクに対する読み書きを行なう磁気ハード・ディスク・ドライブ、取り外し可能な磁気ディスクに対する読み書きを行なう磁気ディスク・ドライブ、及びＣＤ−ＲＯＭ又は他の光学的媒体のような取り外し可能な光ディスクに対する読み書きを行なう光ディスク・ドライブを含み得る。これらのドライブ及び関連する機械読み取り可能な媒体は、機械実行可能な命令、データ構造、プログラム・モジュール及びコンピュータ用のその他不揮発性記憶装置を提供する。
【００７１】
図８は、本発明の一実施形態に従って用いられる例示的なイメージング及び追跡システムを示す図である。幾つかの実施形態は、図８に例示するイメージング及び追跡システムのようなイメージング及び追跡システムと連結して使用することができる。図のように、該システムはイメージング装置８１０、テーブル８２０、患者８３０、追跡センサ８４０、医療機器（用具）又はインプラント（埋植物）８５０、追跡エレクトロニクス８６０、画像プロセッサ８７０、表示器８８０を備える。イメージング装置８１０は、患者８３０の解剖学的構造のＸ線画像を取得するのに便利なＣアーム型として示されているが、追跡システムに使用可能な如何なるタイプのイメージング装置であっても良い。イメージング装置（又はイメージング・モダリティ）８１０は、画像プロセッサ８７０と通信し、画像プロセッサ８７０は、追跡エレクトロニクス８６０と、表示器８８０をと通信する。
【００７２】
本発明の実施形態に関する以上の説明は、例示および説明の目的のために提示されている。説明は網羅的であること又は本発明を開示された厳密な形態に限定することを意図しておらず、以上の教示に照らして改変及び変形が可能であり、本発明の実施から改変及び変形が取得され得る。実施形態は、発明の原理及び実際的な応用を説明するために選択され記載されており、当業者が本発明を様々な実施形態として想到される特定の用途に適するように様々な改変を施して利用することを可能にしている。
【００７３】
当業者は、本書に開示された実施形態が任意の医用ナビゲーション・システムの形成に適用され得ることを認められよう。請求される主題の実施形態の幾つかの特徴を本書に記載するように説明したが、当業者には多くの改変、置換、変形及び均等構成が想到されよう。加えて、幾つかの機能ブロック及び機能ブロックの間の関係を詳細に説明したが、当業者には、動作の幾つかは他の動作を用いることなく実行することができ、又は追加の機能若しくは機能の間の関係を確立して、請求される主題に依然従うものとし得ることが想到されよう。従って、特許請求の範囲は、請求される主題の実施形態の真意に含まれるような全ての改変及び変形を網羅するものと理解されたい。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００７４】
【図１】二次元フルオロスコピィ画像の上の三次元埋植物の従来技術による表示を示す図である。
【図２】本発明の一実施形態に従って用いられる医用ナビゲーション・システムの図である。
【図３】本発明の一実施形態に従って用いられる医用ナビゲーション・システムの図である。
【図４】本発明の一実施形態に従って用いられる医用ナビゲーション・システムの図である。
【図５】本発明の一実施形態に従ってフルオロスコピィ画像と共に観察される三次元埋植物の一例を示す図である。
【図６】本発明の一実施形態に従って境界表面から下方への距離に基づく様々な陰影を示す用具の単純表現の図である。
【図７】本発明の一実施形態に従って用いられる画像における埋植物／用具表現の方法の流れ図である。
【図８】本発明の一実施形態に従って用いられる例示的なイメージング及び追跡システムを示す図である。
【符号の説明】
【００７５】
１０  医用ナビゲーション・システム
１２  可搬型コンピュータ
１４  表示器
１６  ナビゲーション・インタフェイス
１８  第二の表示器
２０  電磁場発生器
２２  電磁センサ
２４  装置
２６  プリント回路基板受信器アレイ
３０  テーブル
４０  患者
５０  ケーブル
６０  可搬型カート
１００  医用ナビゲーション・システム
１６０  ナビゲーション・インタフェイス
２１０  システム制御器
２１４、２１８  表示器
２１５  ローカル・インタフェイス
２２０  メモリ
２２２  電磁センサ
２３０  表示制御器
２４５  ディスク
２５０  追跡モジュール
２６０  ナビゲーション・モジュール
３００  医用ナビゲーション・システム
３１５  ローカル・インタフェイス
３４２  プロセッサ
３４４  システム制御器
３４６  メモリ
３５０  追跡インタフェイス
３５２  プロセッサ
３５４  メモリ
３５６  追跡モジュール
３６０  視覚化インタフェイス
３６２  プロセッサ
３６４  メモリ
３６６  ナビゲーション・モジュール
３７０  ナビゲーション・インタフェイス
３７２  電磁センサ
３８０  表示制御器
３８２  表示器
３９２  ディスク
５００  画像
５１０  用具／埋植物
５２０  外側部分
５３０  内側部分
５５０  解剖学的構造
７００  方法
８１０  イメージング装置
８２０  テーブル
８３０  患者
８４０  追跡センサ
８５０  医療機器（用具）又はインプラント（埋植物）
８６０  追跡エレクトロニクス
８７０  画像プロセッサ
８８０  表示器
【図２】
2008126063.tif 000003
【図３】
2008126063.tif 000004
【図４】
2008126063.tif 000005
【図６】
2008126063.tif 000006
【図７】
2008126063.tif 000007
【図８】
2008126063.tif 000008
【図１】
2008126063.tif 000009
【図５】
2008126063.tif 000010